(57)【要約】【課題】ステージの媒体積載面に積載された媒体が媒体収納箱外に崩れ落ちてしまうことを防止する媒体収納箱を提供する。【解決手段】移動自在であって、媒体１３が積載される際には媒体積載位置に位置付けられるステージ１４を備えたホッパ部１１において、ステージ１４が媒体積載位置に位置付けられた際に、ステージ１４の媒体積載面１４ａに凸部を形成する。この凸部は、ステージ１４が媒体積載位置に位置付けられた際に、ステージ１４の媒体積載面１４ａから突起部２０が突出することにより形成される。【選択図】　　　図１
2004001954.tif 000002
【特許請求の範囲】
【請求項１】
移動自在であって、媒体が積載される際には媒体積載位置に位置付けられるステージを備えた媒体収納箱において、
前記ステージが前記媒体積載位置に位置付けられた際に、該ステージの媒体積載面に凸部が形成されることを特徴とする媒体収納箱。
【請求項２】
前記凸部は、前記ステージが媒体積載位置に位置付けられた際に、該ステージの媒体積載面から突起部が突出することにより形成される請求項１記載の媒体収納箱。
【請求項３】
前記突起部が突出して前記ステージの媒体積載面が高くなる位置は、媒体収納箱に形成された開口部側である請求項２記載の媒体収納箱。
【請求項４】
前記突起部は、媒体収納箱内に固定した状態であって、前記ステージが前記媒体積載位置に位置付けられた際に、前記ステージに形成された孔から突出する位置に設けられた請求項３記載の媒体収納箱。
【請求項５】
前記突起部は、前記ステージに形成された孔内を移動自在に嵌め込まれたピンであり、前記ステージが前記媒体積載位置に位置付けられた際に、前記ステージの媒体積載面から突出する請求項３記載の媒体収納箱。
【発明の詳細な説明】
【０００１】
【発明の属する技術分野】
本発明は、媒体が積載されるステージを内部に備えた媒体収納箱に関する。
【０００２】
【従来の技術】
従来、発券装置においては、媒体（カード紙）を収納する媒体収納箱であるホッパ部が設けられている。このホッパ部は四角形であり、周囲３箇所は側壁により覆われることにより構成されており、該側壁が形成されていない箇所には、開閉自在に扉が設けられている。
【０００３】
またホッパ部内部には、媒体が積載されるステージと、媒体をホッパ部外に繰出すピッカローラとが設けられている。なお、上記ピッカローラはホッパ部上部に設けられており、またステージは、媒体の上面位置を常に上記ピッカローラに接触する繰出し位置に位置付けておくために、ホッパ部内部で装置の上下方向に移動自在となっている。
【０００４】
そして駆動源から駆動力が伝達されると、ピッカローラが回転して媒体を１枚ホッパ部から搬送路に繰出すようになっている。
【０００５】
上記構成のホッパ部に媒体を収納する際には、ステージが上部に位置していると、ピッカローラ等が邪魔となって媒体をホッパ部内に入れることができないので、ステージを一旦ホッパ部の最下部である、媒体積載位置まで移動させる。そしてその後オペレータが扉を開けて開口部からステージの媒体積載面に媒体の束を積載している。
【０００６】
【発明が解決しようとする課題】
上記従来のホッパ部においては、扉を開けて、該扉で覆われていた開口部からステージの媒体積載面に媒体を積載している。以下この積載時の問題点について説明する。
【０００７】
装置の設置状況により装置全体が傾き、ホッパ部内のステージが水平（ステージの上下の移動方向に対して垂直）ではなく、オペレータが媒体をステージの媒体積載面へ積載する際の積載方向の手前側、すなわち側壁が設けられていない開口部側が低くなるように傾いてしまう場合があった。すると、ステージの媒体積載面に媒体を積載しても、媒体が開口部からホッパ部外に崩れ落ちてしまう場合があるという問題点があった。
【０００８】
また、媒体を整列させず、乱雑な状態でステージの媒体積載面に積載した場合にも、ステージの媒体積載面に積載された媒体が開口部からホッパ部外に崩れ落ちてしまう場合があるという問題点があった。
【０００９】
【課題を解決するための手段】
上記課題を解決するために本発明で設けた解決手段は、移動自在であって、媒体が積載される際には媒体積載位置に位置付けられるステージを備えた媒体収納箱において、前記ステージが前記媒体積載位置に位置付けられた際に、該ステージの媒体積載面に凸部が形成されるものである。
【００１０】
上記構成によれば、ステージの媒体積載面に媒体を積載すると、媒体の一部は凸部に接触して持ち上がる。これにより、媒体が開口部から媒体収納箱外に崩れ落ちてしまうことを防止することができる。
【００１１】
【発明の実施の形態】
以下、本発明の実施の形態を図面に従って説明する。なお各図面に共通する要素には同一の符号を付す。
【００１２】
第１の実施の形態
駅等に設置され、カード紙を使用した発券装置においては、媒体（カード紙）を収納する媒体収納箱であるホッパ部が設けられている。以下ホッパ部の構成について説明する。図１は第１の実施の形態のホッパ部を示す正面図、図２は図１のＡ−Ａ断面矢視図である。
【００１３】
図１、図２において、媒体収納箱であるホッパ部１１は四角形であり、周囲３箇所は側壁１２ａ、１２ｂ、１２ｃにより覆われることにより構成されており、該側壁が形成されていない箇所には、図示せぬ扉が開閉自在に設けられている。なお、このように側壁は３箇所のみであり、オペレータにとって手前側、すなわち媒体繰り出し方向と直交する側の一方の側壁は設けられておらず、開口部となっている。そして該開口部が設けられているのは、オペレータが開口部から媒体１３をステージ１４の媒体積載面１４ａに積載するためである。
【００１４】
内部には、媒体１３が積載されるステージ１４と、媒体１３をホッパ部１１外に繰出すピッカローラ１５とが設けられている。なお、ピッカローラ１５はホッパ部１１の上部に設けられており、また媒体１３はステージ１３の媒体積載面１４ａに積載され、ステージ１４は、媒体１３の上面位置を常に上記ピッカローラ１５に接触する繰出し位置に位置付けておくために、ホッパ部１１内部で装置の上下方向（矢印Ｅ−Ｆ方向）に移動自在となっている。またステージ１４は後述する繰り出し機構が正確な動作を行うために、上下の移動方向に対して常に垂直状態である必要がある。またピッカローラ１５は図示せぬ駆動源に接続されている図示せぬ軸に取り付けられており、この軸の回転により矢印Ｄ方向に回転する。
【００１５】
上記ホッパ部１１外には、側壁１２ｃに形成された図示せぬ排出口を通ってホッパ部１１内から繰出されてきた媒体１３を図示せぬ搬送路へと案内するゲート１６が設けられており、このゲート１６には繰出しローラ１７とリバースローラ１８とがそれぞれ対向した状態で図示せぬ軸に取り付けられて設けられている。そして図示せぬ駆動源から上記各軸に駆動力が伝達されると、上記ピッカローラ１５と繰出しローラ１７、リバースローラ１８は矢印Ｄ方向に回転して媒体１３を１枚図示せぬ搬送路に繰出す。なお、上記ピッカローラ１５と、繰り出しローラ１７と、リバースローラ１８とにより媒体繰り出し機構が構成されている。
【００１６】
ホッパ部１１の底面１１ａの底面であって、上記側壁１２ａ、１２ｂ、１２ｃが設けられていない開口部の近傍には凸部である突起部２０が底面１１ａに固定された状態で設けられている。そして上記ステージ１４には、突起部２０に対向する位置に孔２５が形成されている。
【００１７】
また突起部２０の高さは、媒体積載位置に位置付けられたときのステージ１４の高さよりも高くなっており、ステージ１４が媒体積載位置（ホッパ部１２の最下部）に位置付けられた際、突起部２０の上面２０ａは孔２５を貫通してステージ１４の媒体積載面１４ａよりもわずかに突出する。
【００１８】
次にオペレータがホッパ部１１に媒体１３を収納し、ステージ１４を上昇させるまでの動作について説明する。図３は第１の実施の形態のホッパ部の媒体繰り出し時の状態を示す断面図である。
【００１９】
上記構成のホッパ部１１に媒体１３を収納する際には、ステージ１４が上部に位置していると、媒体繰り出し機構が邪魔となって媒体１３をホッパ部１１内に入れることができないので、ステージ１４を図１、図２に示す媒体積載位置である最下部まで移動させてからステージ１４の媒体積載面１４ａに媒体１３の束を積載している。
【００２０】
ステージ１４が媒体積載位置に位置付けられた際、突起部２０が孔２５を貫通して突起部２０の上面２０ａはステージ１４の媒体積載面１４ａよりもわずかに突出する。そしてこの状態でオペレータは図示せぬ扉を開けて、ステージ１４の媒体積載面１４ａに媒体１３を積載する。すると図２に示すように媒体１３の、ホッパ部１１の開口部側端部（一端部）１３ａが突起部２０の上面２０ａに接触して持ち上がり、媒体１３の他端部１３ｂは開口部と対向する側壁である、側壁１２ｂに接触して整列する。これにより、媒体１３は開口部側が高くなるので、ステージ１４の媒体積載面１４ａに積載された媒体１３が開口部からホッパ部１１外に崩れ落ちてしまうことはない。
【００２１】
また、装置の設置状況により装置全体が傾き、ホッパ部１１内のステージ１４が水平ではなく、側壁１２ａ、１２ｂ、１２ｃが設けられていない開口部側が低くなるように傾いてしまう場合があっても、突起部２０が、媒体１３の開口部側端部１３ａを持ち上げるので、ステージ１４の媒体積載面１４ａに積載された媒体１３が開口部からホッパ部１１外に崩れ落ちてしまうことはない。
【００２２】
更に、媒体１３を整列させず、乱雑な状態でステージ１４の媒体積載面１４ａに積載した場合にも、突起部２０が、媒体１３の開口部側端部１３ａを持ち上げるので、ステージ１４の媒体積載面１４ａに積載された媒体１３が開口部からホッパ部１１外に崩れ落ちてしまうことはない。
【００２３】
そして媒体１３の積載が終了すると、オペレータは扉を閉める。これにより開口部は覆われる。その後図３に示すようにステージ１４が上昇すると突起部２０から離れるので、媒体繰り出し機構により繰り出し動作を開始する際には、ステージ１４の媒体積載面１４ａは水平（ステージ１４の上下の移動方向に対して垂直）となる。従って媒体繰り出し動作は正常に行われる。
【００２４】
また媒体１３の積載が終了すると扉により開口部が覆われるので、ステージ１４の移動時に媒体１３の位置ズレが発生しても媒体１３はホッパ部１１外に落下することはない。
【００２５】
なお、上記ピッカローラ１５の代わりに、ゲート１６と反対側（側壁１２ａ側）にピッカナイフを設けても良い。この場合はピッカナイフで媒体１３の側壁１２ａ側端部をゲート１６方向へと押圧することにより媒体１３をゲート１６へと導く。
【００２６】
以上第１の実施の形態においては、ステージ１４が媒体積載位置に位置付けられ、媒体１３がステージ１４に積載される際に、ステージ１４の媒体積載面１４ａに積載された媒体１３が開口部からホッパ部１１外に崩れ落ちてしまうことを防止することができる。またステージ１４は、上昇すると突起部２０から離れるので、媒体繰り出し機構により繰り出し動作を開始する際には、ステージ１４の媒体積載面１４ａは水平状態であり、正常な媒体１３の繰り出しを行うことができる。
【００２７】
第２の実施の形態
次に第２の実施の形態について説明する。なお、上記第１の実施の形態と同様の箇所には同一符号を付して説明は省略する。図４は第２の実施の形態のホッパ部を示す正面図、図５は図４のＢ−Ｂ断面矢視図である。
【００２８】
本第２の実施の形態のホッパ部３４が、上記第１の実施の形態のホッパ部１１と異なる点は、突起部２０の代わりに、ピン３１を設けた点である。
【００２９】
図４、図５において、上記第１の実施の形態と同様に媒体１３が積載されると共に、装置の上下方向（矢印Ｅ−Ｆ方向）に移動自在に設けられたステージ３２には、凸部であるピン３１に沿った形状であって、且つ該ピン３１の形状よりもわずかに大きな孔３３が形成されており、この孔３３内にピン３１がスライド自在に嵌め込まれている。なお、ピン３１には当接面３１ｂが形成されており、この当接面３１ｂがステージ３２内部に形成された当接面３２ｂと接触することにより、ピン３１はステージ３２と共に上昇、及び下降する。
【００３０】
またピン３１の高さは、媒体積載位置に位置付けられたときのステージ３２の高さよりも高くなっており、ステージ３２が媒体積載位置（ホッパ部３４の最下部）に位置付けられた際、ピン３１の底面３１ｃがホッパ部３４の底面３４ａに接触して、ピン３１の上面３１ａはステージ３２の媒体積載面３２ａよりもわずかに突出する。
【００３１】
なお、その他の構成は上記第１の実施の形態のホッパ部１１と同様であるので説明は省略する。
【００３２】
次にオペレータがホッパ部３４に媒体１３を収納し、ステージ３２を上昇させるまでの動作について説明する。図６は第２の実施の形態のホッパ部の媒体繰り出し時の状態を示す断面図である。
【００３３】
上記構成のホッパ部３４に媒体１３を収納する際には、ステージ３２が上部に位置していると、媒体繰り出し機構が邪魔となって媒体１３をホッパ部３４内に入れることができないので、ステージ３２を図４、図５に示す媒体積載位置である最下部まで移動させてからステージ３２の媒体積載面３２ａに媒体１３の束を積載している。
【００３４】
ステージ３２が媒体積載位置に位置付けられた際、ピン３１の底面３１ｃがホッパ部３４の底面３４ａに接触して、ピン３１の上面３１ａはステージ３２の媒体積載面３２ａよりもわずかに突出する。そしてこの状態でオペレータは図示せぬ扉を開けて、ステージ３２の媒体積載面３２ａに媒体１３を積載する。すると図５に示すように媒体１３の、ホッパ部３４の開口部側端部（一端部）１３ａがピン３１の上面３１ａに接触して持ち上がり、媒体１３の他端部１３ｂは開口部と対向する側壁である、側壁１２ｂに接触して整列する。これにより、媒体１３は開口部側が高くなるので、ステージ３２の媒体積載面３２ａに積載された媒体１３が開口部からホッパ部３４外に崩れ落ちてしまうことはない。
【００３５】
また、装置の設置状況により、装置全体が傾きホッパ部３４内のステージ３２が水平ではなく、側壁１２ａ、１２ｂ、１２ｃが設けられていない開口部側に傾いてしまう場合があっても、ピン３１が、媒体１３の開口部側端部１３ａを持ち上げるので、ステージ３２の媒体積載面３２ａに積載された媒体１３が開口部からホッパ部３４外に崩れ落ちてしまうことはない。
【００３６】
更に、媒体１３を整列させず、乱雑な状態でステージ３２の媒体積載面３２ａに積載した場合にも、ピン３１が、媒体１３の開口部側端部１３ａを持ち上げるので、ステージ３２の媒体積載面３２ａに積載された媒体１３が開口部からホッパ部３４外に崩れ落ちてしまうことはない。
【００３７】
そして媒体１３の積載が終了すると、オペレータは扉を閉める。これにより開口部は覆われる。その後ステージ３２が上昇すると、図６に示すように孔３３内に形成された、ステージ３２の当接面３２ｂがピン３１の当接面３１ｂに当接する。なお、孔３３はピン３１形状よりもわずかに大きいので、当接面３２ｂがピン３１の当接面３１ｂに当接する位置までステージ３２が上昇すると、ピン３１の上面３１ａはステージ３２の内部に入り込み、ステージ３２から突出していない状態となる。そしてステージ３２が更に上昇すると、ピン３１はステージ３２に持ち上げられてステージ３２と共に上昇する。そして、媒体繰り出し機構により繰り出し動作を開始する際には、ステージ３２の媒体積載面３２ａは水平であり、従って媒体繰り出し動作は正常に行われる。
【００３８】
また媒体１３の積載が終了すると扉により開口部が覆われるので、ステージ３２の移動時に媒体１３の位置ズレが発生しても媒体１３はホッパ部３４に落下することはない。
【００３９】
以上第２の実施の形態においては、ステージ３２が媒体積載位置に位置付けられ、媒体１３がステージ３２に積載される際に、ステージ３２の媒体積載面３２ａに積載された媒体１３が開口部からホッパ部３４外に崩れ落ちてしまうことを防止することができる。またステージ３２が上昇するとピン３１はステージ３２の内部に入り込み、ステージ３２から突出していない状態となるので、媒体繰り出し機構により繰り出し動作を開始する際には、ステージ３２の媒体積載面３２ａは水平状態であり、正常な媒体１３の繰り出しを行うことができる。
【００４０】
なお、上記第１の実施の形態、及び第２の実施の形態においては、駅等に設置され、カード紙を使用した発券装置に設けられたホッパ部に適用したが、磁気カード発行機、紙幣入出金機等に設けられたホッパ部にも利用することができる。
【００４１】
【発明の効果】
以上詳細に説明したように本発明によれば、ステージが媒体積載位置に位置付けられた際に、該ステージの媒体積載面に凸部が形成されることにより、ステージの媒体積載面に積載された媒体が媒体収納箱外に崩れ落ちてしまうことを防止することができる。
【図面の簡単な説明】
【図１】第１の実施の形態のホッパ部を示す正面図である。
【図２】図１のＡ−Ａ断面矢視図である。
【図３】第１の実施の形態のホッパ部の媒体繰り出し時の状態を示す断面図である。
【図４】第２の実施の形態のホッパ部を示す正面図である。
【図５】図４のＢ−Ｂ断面矢視図である。
【図６】第２の実施の形態のホッパ部の媒体繰り出し時の状態を示す断面図である。
【符号の説明】
１１　ホッパ部
１３　媒体
１４　ステージ
２０　突起部
３１　ピン
３２　ステージ
３４　ホッパ部
【図１】
2004001954.tif 000003
【図２】
2004001954.tif 000004
【図３】
2004001954.tif 000005
【図４】
2004001954.tif 000006
【図５】
2004001954.tif 000007
【図６】
2004001954.tif 000008